(57)【要約】モード表示情報が記録された情報保存媒体、その再生装置および再生方法が開示される。  本発明による情報保存媒体は、オーディオデータおよびビデオデータを含むＡＶデータと、前記ＡＶデータに基づいて得られたＡＶ画面をインタラクティブモードに再生するために前記ＡＶ画面が出力される表示窓が定義されたマークアップ言語文書と、前記ＡＶ画面を複数個のモードにディスプレイ可能な場合、現在ディスプレイされているモードに関する情報を表示するためのモード表示情報と、を含むことを特徴とする。これにより、インタラクティブモードの下位モードであるフルスクリーンモードでもビデオモードではないインタラクティブモードであることを把握可能にするユーザーに優しいインターフェースが提供される。
2005517263.tif 000002
【特許請求の範囲】
【請求項１】
オーディオデータおよびビデオデータを含むＡＶデータと、
前記ＡＶデータに基づいて得られたＡＶ画面をインタラクティブモードに再生するために前記ＡＶ画面が出力される表示窓が定義されたマークアップ言語文書と、
前記ＡＶ画面が複数個のモードにディスプレイ可能な場合、現在ディスプレイされているモードに関する情報を表示するためのモード表示情報とを含むことを特徴とする情報保存媒体。
【請求項２】
前記モード表示情報は、前記ＡＶデータから得られたＡＶ画面に重畳されて表示されるためのものであることを特徴とする請求項１に記載の情報保存媒体。
【請求項３】
前記モード表示情報は、前記ＡＶデータを再生する再生装置に設けられたパネルに表示されるためのものであることを特徴とする請求項１に記載の情報保存媒体。
【請求項４】
前記モード表示情報は、前記パネルに設けられたディスプレイ窓に表示されるためのものであることを特徴とする請求項３に記載の情報保存媒体。
【請求項５】
前記モード表示情報は所定表示装置に表示されるためのものであることを特徴とする請求項１に記載の情報保存媒体。
【請求項６】
前記モード表示情報はグラフィックデータで表示されることを特徴とする請求項１に記載の情報保存媒体。
【請求項７】
前記モード表示情報は、前記ＡＶ画面が所定上位モードの下位モードにディスプレイされる時、前記上位モードを知らせることを特徴とする請求項１に記載の情報保存媒体。
【請求項８】
前記モード表示情報は、前記ＡＶ画面がインタラクティブモードのフルスクリーンモードにディスプレイされる時、インタラクティブモードの下位モードとしてのフルスクリーンモードであることを知らせることを特徴とする請求項７に記載の情報保存媒体。
【請求項９】
前記マークアップ言語文書は前記ＡＶ画面に関連した付加情報を含むことを特徴とする請求項１に記載の情報保存媒体。
【請求項１０】
前記付加情報は、前記ＡＶ画面に関連したテキスト情報、イメージ情報、および動映像情報のうち少なくとも一つを含むことを特徴とする請求項９に記載の情報保存媒体。
【請求項１１】
前記付加情報は、別個のファイルとして備えられて前記マークアップ言語文書にリンクされていることを特徴とする請求項９に記載の情報保存媒体。
【請求項１２】
オーディオデータおよびビデオデータを含むＡＶデータと、
前記ＡＶデータに基づいて得られたＡＶ画面の再生状態に関する情報を表示するための再生状態表示情報と、
前記ＡＶ画面をインタラクティブモードに再生するために前記ＡＶ画面が出力される表示窓が定義されたマークアップ言語文書と、を含むことを特徴とする情報保存媒体。
【請求項１３】
前記再生状態表示情報は、前記ＡＶデータから得られたＡＶ画面に重畳されて表示されるためのものであることを特徴とする請求項１２に記載の情報保存媒体。
【請求項１４】
前記再生状態表示情報は、前記ＡＶデータを再生する再生装置に設けられたパネルに表示されるためのものであることを特徴とする請求項１２に記載の情報保存媒体。
【請求項１５】
前記再生状態表示情報は、前記パネルに設けられたディスプレイ窓に表示されるためのものであることを特徴とする請求項１４に記載の情報保存媒体。
【請求項１６】
前記再生状態表示情報は、所定表示装置に表示されるためのものであることを特徴とする請求項１２に記載の情報保存媒体。
【請求項１７】
前記再生状態表示情報は、グラフィックデータに表示されることを特徴とする請求項１２に記載の情報保存媒体。
【請求項１８】
前記再生状態表示情報は、再生が一時的に停止されたことを知らせることを特徴とする請求項１２に記載の情報保存媒体。
【請求項１９】
前記再生状態表示情報は、前記ＡＶ画面がインタラクティブモードのフルスクリーンモードで再生が一時的に停止されたことを知らせることを特徴とする請求項１２に記載の情報保存媒体。
【請求項２０】
情報保存媒体からデータを読み出すリーダと、
前記リーダにより読み出されたＡＶデータをデコードするデコーダと、
デコードされたＡＶデータから得られたＡＶ画面のディスプレイモードを検出し、その検出されたモードを知らせるモード表示情報を表示するコントローラと、を含むことを特徴とする再生装置。
【請求項２１】
前記コントローラは、前記モード表示情報を前記ＡＶデータから得られたＡＶ画面に重畳させて表示することを特徴とする請求項２０に記載の再生装置。
【請求項２２】
前記コントローラは、前記モード表示情報を前記再生装置に設けられたパネルに表示することを特徴とする請求項２０に記載の再生装置。
【請求項２３】
前記コントローラは、前記モード表示情報を前記パネルに設けられたディスプレイ窓に表示することを特徴とする請求項２２に記載の再生装置。
【請求項２４】
前記コントローラは、前記モード表示情報を所定表示装置に表示することを特徴とする請求項２０に記載の再生装置。
【請求項２５】
前記コントローラは、前記ＡＶ画面が所定上位モードの下位モードにディスプレイされる時、前記上位モードを知らせる前記モード表示情報を表示することを特徴とする請求項２０に記載の再生装置。
【請求項２６】
前記コントローラは、前記ＡＶ画面がインタラクティブモードのフルスクリーンモードにディスプレイされる時、インタラクティブモードの下位モードとしてのフルスクリーンモードであることを知らせる前記モード表示情報を表示することを特徴とする請求項２５に記載の再生装置。
【請求項２７】
前記コントローラは、前記フルスクリーンモードでモード表示情報が表示されたグラフィック画面をＡＶ画面に重畳させて表示することを特徴とする請求項２６に記載の再生装置。
【請求項２８】
前記コントローラは、前記フルスクリーンモードで前記ＡＶ画面を前記ディスプレイスクリーン全体にディスプレイすることを特徴とする請求項２６に記載の再生装置。
【請求項２９】
前記コントローラは、ビデオモードで前記ＡＶ画面をディスプレイスクリーン全体にディスプレイすることを特徴とする請求項２５に記載の再生装置。
【請求項３０】
前記コントローラは、インタラクティブモードで前記ＡＶ画面をマークアップ言語文書に定義された表示窓にディスプレイすることを特徴とする請求項２９に記載の再生装置。
【請求項３１】
情報保存媒体からデータを読み出すリーダと、
前記リーダにより読み出されたＡＶデータをデコードするデコーダと、
前記ＡＶデータに基づいて得られたＡＶ画面の再生状態に関する情報を検出して前記リーダにより読み出された再生状態表示情報を表示するコントローラと、を含むことを特徴とする再生装置。
【請求項３２】
前記コントローラは、前記再生状態表示情報を前記ＡＶデータから得られたＡＶ画面に重畳させて表示することを特徴とする請求項３１に記載の再生装置。
【請求項３３】
前記コントローラは、再生が一時的に停止されたことを知らせる再生状態表示情報を前記ＡＶ画面に重畳させて表示することを特徴とする請求項３２に記載の再生装置。
【請求項３４】
前記コントローラは、前記再生状態表示情報を前記再生装置に設けられたパネルに表示することを特徴とする請求項３１に記載の再生装置。
【請求項３５】
前記コントローラは、前記再生状態表示情報を前記パネルに設けられたディスプレイ窓に表示することを特徴とする請求項３１に記載の再生装置。
【請求項３６】
前記コントローラは、前記モード表示情報を所定表示装置に表示することを特徴とする請求項３１に記載の再生装置。
【請求項３７】
前記コントローラは、前記ＡＶ画面がインタラクティブモードのフルスクリーンモードで再生が一時的に停止されたことを知らせる再生状態表示情報を表示することを特徴とする請求項３１に記載の装置。
【請求項３８】
情報保存媒体に記録されたＡＶデータをインタラクティブモードに再生する方法において、
（ａ）前記ＡＶデータから得られたＡＶ画面のディスプレイモードを検出する段階と、
（ｂ）フルスクリーンモードである場合、インタラクティブモードの下位モードとしてのフルスクリーンモードであることを知らせるモード表示情報を表示する段階と、を含むことを特徴とする再生方法。
【請求項３９】
前記（ｂ）段階は、前記モード表示情報を前記ＡＶデータから得られたＡＶ画面に重畳させて表示する段階であることを特徴とする請求項３８に記載の再生方法。
【請求項４０】
前記（ｂ）段階は、前記モード表示情報を前記再生装置に設けられたパネルに表示する段階であることを特徴とする請求項３８に記載の再生方法。
【請求項４１】
前記（ｂ）段階は、前記モード表示情報を前記パネルに設けられたディスプレイ窓に表示する段階であることを特徴とする請求項３８に記載の再生方法。
【請求項４２】
前記（ｂ）段階は、前記モード表示情報を所定表示装置に表示する段階であることを特徴とする請求項３８に記載の再生方法。
【請求項４３】
前記（ｂ）段階は、モード表示情報が表示されたグラフィック画面をＡＶ画面に重畳させて表示する段階であることを特徴とする請求項３８に記載の再生方法。
【請求項４４】
情報保存媒体に記録されたＡＶデータをインタラクティブモードに再生する方法において、
（ａ）前記ＡＶデータから得られたＡＶ画面のディスプレイモードがフルスクリーンモードである場合、前記ＡＶ画面の再生状態に関する情報を検出する段階と、
（ｂ）検出されたＡＶ画面の再生状態を知らせる再生状態表示情報を表示する段階とを含むことを特徴とする再生方法。
【請求項４５】
前記（ｂ）段階は、前記再生状態表示情報を前記ＡＶデータから得られたＡＶ画面に重畳させて表示する段階であることを特徴とする請求項４４に記載の再生方法。
【請求項４６】
前記（ｂ）段階は、前記再生状態表示情報を前記再生装置に設けられたパネルに表示する段階であることを特徴とする請求項４４に記載の再生方法。
【請求項４７】
前記（ｂ）段階は、前記再生状態表示情報を前記パネルに設けられたディスプレイ窓に表示する段階であることを特徴とする請求項４４に記載の再生方法。
【請求項４８】
前記（ｂ）段階は、前記再生状態表示情報を所定表示装置に表示する段階であることを特徴とする請求項４４に記載の再生方法。
【請求項４９】
前記（ｂ）段階は、再生が一時的に停止されたことを知らせる再生状態表示情報を表示する段階であることを特徴とする請求項４４に記載の再生方法。
【発明の詳細な説明】
【技術分野】
【０００１】
本発明は情報保存媒体に記録されたＡＶデータをインタラクティブモードにディスプレイできる情報保存媒体、その再生装置および再生方法に関する。
【０００２】
パソコンに基づいてインタラクティブモードに再生可能なインタラクティブＤＶＤ（デジタルバーサタイルディスク）が提案されている。インタラクティブＤＶＤとは、ＡＶデータと共にマークアップ言語文書が記録されたＤＶＤを意味する。インタラクティブＤＶＤに記録されたＡＶデータは２つの方法で再生できる。一つは、一般ＤＶＤと同一にディスプレイされるビデオモードであり、他の一つは、再生されたＡＶデータがマークアップ言語文書により定義される表示窓を通じてディスプレイされるインタラクティブモードである。ユーザーによりインタラクティブモードが選択されれば、パソコンに搭載されたブラウザーはインタラクティブＤＶＤに記録されているマークアップ言語文書を解釈してディスプレイする。マークアップ言語文書の表示窓にはユーザーが選択したＡＶデータが表示される。マークアップ言語文書としては、代表的にＨＴＭＬ文書を挙げられる。
【０００３】
例えば、ＡＶデータが映画である場合、ＨＴＭＬ文書の表示窓には動映像が出力され、残りの部分には映画の台本、あらすじ、出演俳優の写真など映画に関する多様な付加情報が表示される。付加情報はイメージファイルまたはテキストファイルを含む。
【０００４】
ところが、従来提案されたインタラクティブモードでＡＶデータはＨＴＭＬ文法によって定義される表示窓を通じてディスプレイされるので、画面の大きさがビデオモードと比較して相対的に小さい。ユーザーがインタラクティブモードで映画を見る途中でさらに大きい画面に見るためにビデオモードに変更すれば、インタラクティブモードは終了し、ナビゲーション情報は初期化されて映画が最初から再び再生される。
【発明の開示】
【発明が解決しようとする課題】
【０００５】
したがって、本発明の目的は、インタラクティブモードにＡＶ画面を拡大できる再生装置およびその再生方法を提供することである。
【０００６】
本発明の他の目的は、インタラクティブモードにＡＶ画面が拡大された場合、ビデオモードと区分可能にするモード表示情報が記録された情報保存媒体、再生装置およびその再生方法を提供することである。
【０００７】
本発明のさらに他の目的は、インタラクティブモードにＡＶ画面が拡大された場合、ＡＶデータの再生状態を把握可能にする再生状態表示情報が記録された情報保存媒体、再生装置およびその再生方法を提供することである。
【０００８】
前記目的は、本発明によって、オーディオデータおよびビデオデータを含むＡＶデータと、前記ＡＶデータに基づいて得られたＡＶ画面をインタラクティブモードに再生するために前記ＡＶ画面が出力される表示窓が定義されたマークアップ言語文書と、前記ＡＶ画面が複数個のモードにディスプレイ可能な場合、現在ディスプレイされているモードに関する情報を表示するためのモード表示情報と、を含むことを特徴とする情報保存媒体により達成される。
【０００９】
前記モード表示情報は、前記ＡＶデータから得られたＡＶ画面に重畳されて表示されるためのものであるか、前記ＡＶデータを再生する再生装置に設けられたパネルに表示されるためのものであるか、前記パネルに設けられたディスプレイ窓に表示されるためのものであることが望ましい。
【００１０】
前記モード表示情報はグラフィックデータで表示されることが望ましく、前記ＡＶ画面が所定上位モードの下位モードにディスプレイされる時、前記上位モードを知らせることが望ましく、前記ＡＶ画面がインタラクティブモードのフルスクリーンモードにディスプレイされる時、インタラクティブモードの下位モードとしてのフルスクリーンモードであることを知らせることが望ましい。
【００１１】
また、前記目的は、オーディオデータおよびビデオデータを含むＡＶデータと、前記ＡＶデータに基づいて得られたＡＶ画面の再生状態に関する情報を表示するための再生状態表示情報と、前記ＡＶ画面をインタラクティブモードに再生するために前記ＡＶ画面が出力される表示窓が定義されたマークアップ言語文書と、を含むことを特徴とする情報保存媒体によっても達成される。
【００１２】
前記再生状態表示情報は、前記ＡＶデータから得られたＡＶ画面に重畳されて表示されるためのものであるか、前記ＡＶデータを再生する再生装置に設けられたパネルに表示されるためのものであるか、前記パネルに設けられたディスプレイ窓に表示されるためのものであるか、所定表示装置に表示されるためのものであることが望ましい。
【００１３】
前記再生状態表示情報はグラフィックデータに表示されることが望ましく、再生が一時的に停止されたことを知らせ、特に前記ＡＶ画面がインタラクティブモードのフルスクリーンモードで再生が一時的に停止されたことを知らせることが望ましい。
【００１４】
一方、本発明の他の分野によれば、前記目的は、情報保存媒体からデータを読み出すリーダと、前記リーダにより読み出されたＡＶデータをデコードするデコーダと、デコードされたＡＶデータから得られたＡＶ画面のディスプレイモードを検出し、検出されたモードを知らせるモード表示情報を表示するコントローラと、を含むことを特徴とする再生装置によっても達成される。
【００１５】
前記コントローラは、前記再生状態表示情報を前記ＡＶデータから得られたＡＶ画面に重畳させて表示するか、前記再生装置に設けられたパネルに表示するか、前記パネルに設けられたディスプレイ窓に表示するか、所定表示装置に表示することが望ましい。
【００１６】
前記コントローラは、前記ＡＶ画面が所定上位モードの下位モードにディスプレイされる時、前記上位モードを知らせる前記モード表示情報を表示し、前記ＡＶ画面がインタラクティブモードのフルスクリーンモードにディスプレイされる時、インタラクティブモードの下位モードとしてのフルスクリーンモードであることを知らせる前記モード表示情報を表示することが望ましい。
【００１７】
また、前記目的は、情報保存媒体からデータを読み出すリーダと、前記リーダにより読み出されたＡＶデータをデコードするデコーダと、前記ＡＶデータに基づいて得られたＡＶ画面の再生状態に関する情報を検出して前記リーダにより読み出された再生状態表示情報を表示するコントローラと、を含むことを特徴とする再生装置によっても達成される。
【００１８】
前記コントローラは、前記再生状態表示情報を前記ＡＶデータから得られたＡＶ画面に重畳させて表示するか、再生が一時的に停止されたことを知らせる再生状態表示情報を前記ＡＶ画面に重畳させて表示するか、前記再生装置に設けられたパネルに表示するか、前記パネルに設けられたディスプレイ窓に表示するか、所定表示装置に表示することが望ましい。
【００１９】
一方、本発明の他の分野によれば、前記目的は、情報保存媒体に記録されたＡＶデータをインタラクティブモードに再生する方法において、（ａ）前記ＡＶデータから得られたＡＶ画面のディスプレイモードを検出する段階と、（ｂ）フルスクリーンモードである場合、インタラクティブモードの下位モードとしてのフルスクリーンモードであることを知らせるモード表示情報を表示する段階とを含むことを特徴とする再生方法によっても達成される。
【００２０】
前記（ｂ）段階は、前記モード表示情報を前記ＡＶデータから得られたＡＶ画面に重畳させて表示する段階であるか、前記再生装置に設けられたパネルに表示する段階であるか、前記パネルに設けられたディスプレイ窓に表示する段階であるか、所定表示装置に表示する段階であることが望ましい。
【００２１】
また、前記目的は、情報保存媒体に記録されたＡＶデータをインタラクティブモードに再生する方法において、（ａ）前記ＡＶデータから得られたＡＶ画面のディスプレイモードがフルスクリーンモードである場合、前記ＡＶ画面の再生状態に関する情報を検出する段階と、（ｂ）検出されたＡＶ画面の再生状態を知らせる再生状態表示情報を表示する段階とを含むことを特徴とする再生方法によっても達成される。
【００２２】
前記（ｂ）段階は、前記再生状態表示情報を前記ＡＶデータから得られたＡＶ画面に重畳させて表示する段階であるか、前記再生装置に設けられたパネルに表示する段階であるか、前記パネルに設けられたディスプレイ窓に表示する段階であるか、所定表示装置に表示する段階であることが望ましい。
【発明を実施するための最良の形態】
【００２３】
以下、添付された図面を参照して本発明の望ましい実施例を詳細に説明する。本明細書で「マークアップ言語文書」はＨＴＭＬ、ＸＭＬなどのマークアップ言語で作成された文書はもとよりＳｃｒｉｐｔ言語、Ｊａｖａ（登録商標）などで作成されたソースコードがリンクされたり、または挿入された文書を総称し、さらにマークアップ言語文書にリンクされたファイルを網羅する意味として使われる。すなわち、マークアップ言語文書はＡＶデータをインタラクティブモードに再生するために必要な一種のアプリケーションである。「ＡＶ画面」とは、ＡＶデータが再生され、かつディスプレイされてユーザーの視覚に感知される画面を意味し、「マークアップ画面」とは、マークアップ言語文書が再生され、かつディスプレイされてユーザーの視覚に感知される画面を意味する。
【００２４】
図１は、本発明の望ましい実施例による再生システムの概要図である。再生システムはディスク５００、再生装置２００、本実施例によるディスプレイ装置としてＴＶ  １００およびリモコン４００を含む。一方、再生装置２００はネットワークに連結されている。
【００２５】
リモコン４００はユーザーの制御命令を受信して再生装置２００に伝達する。再生装置２００は、ユーザーがインタラクティブモードを選択すれば、ＤＶＤ  ５００に記録された該当ＡＶデータをインタラクティブモードに再生してＴＶ  １００に伝達する。インタラクティブモードに再生するために必要なマークアップ言語文書はＤＶＤ  ５００またはネットワークからもたらす。また、ユーザーがインタラクティブモードからその下位モードであるフルスクリーンモードに再生を要請する場合、ＡＶ画面を拡大して表示し、モード表示情報および／または再生状態表示情報をＡＶ画面に重畳させてディスプレイする。ＴＶ  １００には対応ＡＶ画面、モード表示情報、および再生状態表示情報がディスプレイされる。
【００２６】
図２は、本発明の望ましい実施例による再生装置２００の機能ブロック図である。再生装置２００はリーダ１、コントローラ２、デコーダ４、およびブレンダー５を含む。コントローラ２にはプレゼンテーションエンジン３が搭載されている。
【００２７】
リーダ１は本実施例によるディスク、ＤＶＤ  ５００からＡＶデータ、マークアップ言語文書、およびナビゲーション情報を読み出す。さらに、本発明によるモード表示情報データおよび／または再生状態表示情報データを読み出す。モード表示情報データおよび／または再生状態表示情報データは、後述するようにモード表示情報／再生状態表示情報をディスプレイするために必要なデータであって、本実施例ではグラフィックデータとして具現される。
【００２８】
コントローラ２は、ユーザー入力によってＤＶＤ  ５００に記録されたＡＶデータがインタラクティブモード、ビデオモードまたはインタラクティブモードのフルスクリーンモードに再生されるようにプレゼンテーションエンジン３、デコーダ４、およびブレンダー５を制御する。インタラクティブモードとビデオモードとは上位モードであり、フルスクリーンモードはインタラクティブモードの下位モードである。
【００２９】
プレゼンテーションエンジン３は、ネットワークの所定ノードからマークアップ言語文書を持ってきて、持ってきたマークアップ言語を解釈して実行する。すなわち、プレゼンテーションエンジン３はソフトウェア観点でクライアント解釈プログラム言語、例えば、Ｊａｖａ（登録商標）Ｓｃｒｉｐｔ、Ｊａｖａ（登録商標）などを解釈して実行する解釈エンジンである。さらに、プレゼンテーションエンジン３はプラグインをさらに含むことができる。プラグインは、マークアップ言語文書に含まれるか、またはマークアップ言語文書にリンクされた多様なフォーマットのファイルを開き可能にする。インタラクティブモードでプレゼンテーションエンジン３は、ＤＶＤ  ５００またはネットワークの所定ノードからマークアップ言語文書を持ってきた後、解釈してデコーダ４から出力されたＡＶデータストリームがディスプレイされる表示窓の位置を確認する。ブレンダー５は、デコードされたＡＶデータストリームがマークアップ言語文書により定義された表示窓にディスプレイされるように、すなわちＡＶ画面がマークアップ画面に埋込まれるように、ＡＶデータストリームと解釈されたマークアップ言語文書とをブレンドしてＴＶ  １００に出力する。特に、コントローラ２はフルスクリーンモードでモード表示情報および／または再生状態表示情報をＡＶ画面に重畳させて表示する。モード表示情報および／または再生状態表示情報はＤＶＤ  ５００に保存されているか、または再生装置２００に備えられたメモリ（図示せず）にあらかじめ保存されうる。
【００３０】
図３は本発明の望ましい実施例によるリモコン４００の一例である。リモコン４００には多様な機能ボタンが設けられている。リモコン４００の前面上端には再生装置２００のパワーをオン／オフするためのパワーボタン３１が設けられている。パワーボタン３１の下側にはチャンネル番号などを選択するための数字／特殊文字ボタン３２が配置されている。スクリーンモードボタン３３は、本発明によってインタラクティブモードでフルスクリーンモードを選択する時に使われるボタンである。メニュー３４はメニュー画面を呼び出すためのボタンである。メニュー画面はＤＶＤ  ５００に記録されたメニューデータにより支援されるメニューを表示する。参照番号３６はＴＶ  １００のディスプレイ画面に表示されたハイライトを移動させる方向キーである。Ｅｎｔｅｒ  ３５はハイライトが位置したメニューを選択するためのボタンである。参照番号３７、３８、３９、および４０はそれぞれ巻き戻しボタン、停止ボタン、再生／一時停止ボタン、および早送りボタンを示す。
【００３１】
図３のリモコン４００はビデオタイトルおよびマークアップ言語文書が記録されたＤＶＤ  ５００に対応するように設けられた一例であるため、具体的な機能ボタンおよびその個数は変更できる。また、機能ボタンのうち少なくとも一部をＯＳＤ（オンスクリーンディスプレイ）メニューに組み込められ、逆にＯＳＤメニューの一部を機能ボタンで具現できる。
【００３２】
図４は、インタラクティブモードを支援するＤＶＤ ５００のディレクトリ構造の一例である。ルートディレクトリにはＡＶデータが含まれたビデオディレクトリＶＩＤＥＯ＿ＴＳが設けられている。ＶＩＤＥＯ＿ＴＳにはビデオタイトル全体に関するナビゲーション情報が記録されたファイルＶＩＤＥＯ＿ＴＳ．ＩＦＯが配置されている。次いで、最初のビデオタイトルセットに関するナビゲーション情報が記録されたファイルＶＴＳ＿０１＿０．ＩＦＯが記録されており、ビデオタイトルセットを構成するＶＴＳ＿０１＿０．ＶＯＢ、ＶＴＳ＿０１＿１．ＶＯＢ、…が記録されている。ＶＴＳ＿０１＿０．ＶＯＢ、ＶＴＳ＿０１＿１．ＶＯＢ、…はビデオタイトルセットを構成するビデオタイトル、すなわちビデオオブジェクト（Ｖｉｄｅｏ  Ｏｂｊｅｃｔ）である。各ＶＯＢにはナビゲーションパック、ビデオパック、およびオーディオパックがパッキングされたＶＯＢＵが含まれている。より詳細な構成はＤＶＤ−Ｖｉｄｅｏ標準案「ＤＶＤ−Ｖｉｄｅｏ  ｆｏｒ  Ｒｅａｄ  Ｏｎｌｙ  Ｍｅｍｏｒｙ  ｄｉｓｃ１．０」に開示されている。
【００３３】
ルートディレクトリにはまた、インタラクティブモードを支援するための情報が保存されたインタラクティブディレクトリＤＶＤ＿ＥＮＡＶが設けられている。ＤＶＤ＿ＥＮＡＶにはナビゲーションファイルＤＶＤ＿ＥＮＡＶ．ＩＦＯが記録されている。例えば、ナビゲーションファイルには該当ディレクトリの定義、構成、含まれたタイトルの個数、タイトルに関する基本情報、タイトルに使われた言語、字幕、フォントなどに関する情報、解像度や色相などのマークアップ言語文書表示情報、著作権情報などが記録される。さらに、ＤＶＤ＿ＥＮＡＶにはビデオタイトルと共に表示されるためのインデックス文書ＩＮＤＥＸ．ＨＴＭ、その他のマークアップ言語文書が保存される。また、ＩＮＤＥＸ．ＨＴＭなどマークアップ言語文書に挿入されて共に表示されねばならないファイルも保存されうる。
【００３４】
図５は、インタラクティブモードを支援するＤＶＤ  ５００のディレクトリ構造の他の例である。ルートディレクトリには図４のそれと同じ構造のビデオディレクトリＶＩＤＥＯ＿ＴＳが設けられている。また、ルートディレクトリにはインタラクティブモードを支援するための情報が保存されたインタラクティブディレクトリＤＶＤ＿ＥＮＡＶが設けられている。本例のインタラクティブディレクトリＤＶＤ＿ＥＮＡＶには、図４のそれと違ってナビゲーションファイルＤＶＤ＿ＥＮＡＶ．ＩＦＯが記録されず、ビデオタイトルと共に表示されるためのインデックス文書ＩＮＤＥＸ．ＨＴＭ、その他のマークアップ言語文書、およびＩＮＤＥＸ．ＨＴＭなどマークアップ言語文書に挿入されて共に表示されねばならないファイルなどが保存される。
【００３５】
図６は、再生装置２００に連結されるＴＶ  １００の画面整列順序（Ｚ−ｏｒｄｅｒ）を説明するための参考図である。ユーザーに見られる最終画面は物理的に４個の画面が合わせられて生成される。ポインタが表示される画面ａが一番先に置かれ、マークアップ言語文書によるマークアップ画面、モード表示情報および／または再生状態表示情報が表示されたグラフィック画面ｂがその次に置かれる。引き続き、ＡＶデータによるＡＶ画面ｃが置かれ、一番後ろには一般的に１色で表示される背景画面ｄが置かれる。
【００３６】
図７は、ビデオモードを説明するための参考図である。ユーザーがＤＶＤ  ５００を再生装置２００に挿入し、ＴＶ  １００に表示されたメニュー画面でビデオモードを選択すれば、（ａ）の空いている画面に（ｂ）のＡＶ画面がディスプレイされる。
【００３７】
図８は、インタラクティブモードを説明するための参考図である。ユーザーはＤＶＤ  ５００を再生装置２００に挿入し、ＴＶ  １００に表示されたメニュー画面でインタラクティブモードを選択する。
【００３８】
ＤＶＤ  ５００が図４のディレクトリ構造を持つ場合、再生装置２００はＤＶＤ ５００に記録されたＤＶＤ＿ＥＮＡＶ．ＩＦＯを読み込んだ後、ＤＶＤ＿ＥＮＡＶ．ＩＦＯを解釈して開始文書として指定されたインデックス文書ＩＮＤＥＸ．ＨＴＭを読み込み、それに基づいて該当ビデオタイトルを再生する。また、ＩＮＤＥＸ．ＨＴＭにはＤＶＤ＿ＥＮＡＶ．ＩＦＯがリンクされているので、画面の解像度、マークアップ画面に表示される言語情報の言語などを変更しようとする場合にはＤＶＤ＿ＥＮＡＶ．ＩＦＯを通じて他のＩＮＤＥＸ．ＨＴＭに移動した後、それを読み込み、それに基づいて該当ビデオタイトルを再生できる。これにより、（ａ）のように何れも表示されていない状態で（ｃ）のようにビデオタイトルが再生されたＡＶ画面とマークアップ言語文書が再生されたマークアップ画面とが共に表示されるインタラクティブモードにディスプレイされる。
【００３９】
ＤＶＤ  ５００が図５のディレクトリ構造を持つ場合、再生装置２００は直ちに該当インデックス文書ＩＮＤＥＸ．ＨＴＭを読み込んだ後、それに基づいて該当ビデオタイトルをインタラクティブモードに再生する。これにより、（ａ）のように何れも表示されていない状態で（ｃ）のようにビデオタイトルが再生されたＡＶ画面とマークアップ言語文書が再生されたマークアップ画面とが共に表示されるインタラクティブモードにディスプレイされる。
【００４０】
次は、ＤＶＤ  ５００で読み出されたＩＮＤＥＸ．ＨＴＭの一例である。
【００４１】
【表１】
2005517263.tif 000003
図９は、本発明の望ましい実施例によってモード表示情報がディスプレイされた画面の構成を説明するための参考図である。ＡＶ画面ｃとグラフィックデータｆにより具現されたモード表示情報が含まれたグラフィック画面ｂとが重畳されることによってユーザーに見られる画面が作られる。グラフィックデータにより具現された再生状態表示情報がディスプレイされた画面も同様に構成される。
【００４２】
図１０は、本発明の望ましい実施例によってモード表示情報および再生状態表示情報がディスプレイされた画面の構成を説明するための参考図である。ＡＶ画面ｃとグラフィックデータにより具現されたモード表示情報ｆおよび再生状態表示情報ｇが含まれたグラフィック画面ｂとが重畳されることによってユーザーに見られる画面が作られる。
【００４３】
図１１は、インタラクティブモードからその下位モードであるフルスクリーンモードに転換された時、本発明の望ましい実施例によってモード表示情報がディスプレイされる画面を説明するための参考図である。インタラクティブモードはその下位モードとして埋込みモードおよびフルスクリーンモードを持つ。但し、埋込みモードがデフォルト値と設定されるので、ユーザーがインタラクティブモードを選択すれば埋込みモードにディスプレイされる。この時、ユーザーがフルスクリーンモードを選択すれば（図３のスクリーンモード３３ボタンを押せば）、ＡＶ画面はスクリーン全体を占めるように拡大されて表示される。また、現在モードがインタラクティブモードの下位モードのうち一つであるフルスクリーンモードであることを知らせる情報、すなわちモード表示情報がグラフィックアイコンとしてＡＶ画面に重畳されて表示される。ユーザーが再び埋込みモードを選択すれば（図３のスクリーンモード３３ボタンを押せば）ＡＶ画面は縮少されて表示され、消えたマークアップ画面が現れる。
【００４４】
ユーザーの視覚でフルスクリーンモードでのＡＶ画面はビデオモードでのＡＶ画面と同一に見える。この時、モード表示情報は、インタラクティブモードであることを把握可能にするマークアップ画面が消えてもユーザーが現在モードがインタラクティブモードであることを把握可能にする。
【００４５】
図１２は、インタラクティブモードからその下位モードであるフルスクリーンモードに転換された時、本発明の望ましい実施例によってモード表示情報および再生状態表示情報がディスプレイされる過程を説明するための参考図である。埋込みモードからフルスクリーンモードに転換すれば、マークアップ画面が消えてＡＶ画面が拡大されて画面全体に表示され、グラフィックアイコンにより具現されたモード表示情報ｆがＡＶ画面に重畳されて表示される。フルスクリーンモードでマークアップ言語文書に定義された所定イベントが発生することによってＡＶデータの再生が一時的に中止されれば、ＡＶ画面は停止されてグラフィックアイコンにより具現された再生状態表示情報ｇが表示される。再生状態表示情報ｇを通じてユーザーは、マークアップ言語文書に定義された所定イベントが発生することによって現在ＡＶデータの再生が一時的に中止されたことが分かる。
【００４６】
前記のような構成に基づいて本発明の望ましい実施例によるディスプレイ方法を説明すれば次の通りである。
【００４７】
図１３は、本発明によるディスプレイ方法を説明するためのフローフローチャートである。再生装置２００はインタラクティブモードから現在ディスプレイモードを検出する（１３０１段階）。フルスクリーンモードの場合（１３０２段階）、再生装置２００は現在ＡＶ画面にモード表示情報を重畳させてディスプレイする（１３０３段階）。さらに、現在ＡＶ画面の再生状態を検出して（１３０４段階）、ＤＶＤ  ５００から読み出されるか、または再生装置２００のメモリ（図示せず）に保存された再生状態表示情報をＡＶ画面に重畳させてディスプレイする（１３０５段階）。
【００４８】
図１４は、本発明の望ましい実施例によるディスプレイ方法を説明するためのフローフローチャートである。ユーザーがＤＶＤ  ５００を入れれば、ＴＶ  １００にはディスプレイモードを選択できるメニュー画面、すなわちビデオモードとインタラクティブモードのうちいずれか一つを選択できるメニュー画面がディスプレイされる。ユーザーがインタラクティブモードを選択せずにビデオモードを選択すれば（１４０１段階）、再生装置２００は該当ビデオタイトルをビデオモードに再生する（１４０２段階）。
【００４９】
ユーザーがインタラクティブモードを選択すれば、再生装置２００は該当ビデオタイトルをインタラクティブモードにディスプレイする（１４０３段階）。ユーザーがフルスクリーンモードを選択すれば（１４０４段階）プレゼンテーションエンジン３はＡＶ画面を画面全体をカバーするように拡大させてフルスクリーンモードにディスプレイする（１４０５段階）。これと合わせて、プレゼンテーションエンジン３はＤＶＤ
５００から読み出されるか、または再生装置２００のメモリ（図示せず）に保存されたモード表示情報データを読み込み、これによるモード表示情報をＡＶ画面に重畳させてディスプレイする（１４０６段階）。また、プレゼンテーションエンジン３はデコーダ４から現在ＡＶ画面の再生状態を調べた後（１４０７段階）、ＤＶＤ  ５００から読み出されるか、または再生装置２００のメモリ（図示せず）に保存された再生状態表示情報データを読み込み、これによる再生状態表示情報をＡＶ画面に重畳させてディスプレイする（１４０８段階）。
【００５０】
一方、前述した実施例ではモード表示情報および再生状態表示情報がいずれもＡＶ画面に重畳されて表示されたが、これを別に表現できる。
【００５１】
図１５は、本発明の他の実施例によってモード表示情報および再生状態表示情報が表示されることを示す。参照番号６００は本発明による情報保存媒体であって、ＡＶデータが記録されており、ＡＶデータをインタラクティブモードに再生するためのマークアップ文書が記録されており、モード表示情報および／または再生状態表示情報が記録されている。参照番号２５０は、ディスク６００に記録されたＡＶデータを再生するための再生装置を示す。参照番号１５０は、再生装置２５０により再生されたＡＶデータをディスプレイするためのディスプレイ装置である。
【００５２】
再生装置２５０は、ディスク６００からモード表示情報および／または再生状態表示情報を読み込んで再生装置２５０のパネルに設けられたディスプレイ窓Ｈに表示する。これにより、ディスプレイ窓Ｈにはモード表示情報および／または再生状態表示情報ｈが表示される。
【００５３】
図１６は、本発明のさらに他の実施例によってモード表示情報および再生状態表示情報が表示されることを示す。参照番号７００は本発明による情報保存媒体であって、ＡＶデータが記録されており、ＡＶデータをインタラクティブモードに再生するためのマークアップ文書が記録されており、モード表示情報および／または再生状態表示情報が記録されている。参照番号２６０は、ディスク７００に記録されたＡＶデータを再生するための再生装置を示す。参照番号１６０は、再生装置２６０により再生されたＡＶデータをディスプレイするためのディスプレイ装置である。
【００５４】
再生装置２６０は、ＡＶデータが記録されたディスク７００からモード表示情報および／または再生状態表示情報を読み込んで再生装置２６０の前面に設けられたパネルに表示する。これにより、パネルにはモード表示情報および／または再生状態表示情報が表示される。図１６には一例として、インタラクティブモードであることを表示するＬＥＤ  ｊを点灯させることによって、現在ディスプレイ装置１６０のスクリーンに表示される画面はインタラクティブモードでの画面であることを表示する。再生状態表示情報も同じ方式で表示可能である。
【００５５】
図１７は、本発明のさらに他の実施例によってモード表示情報および再生状態表示情報が表示されることを示す。参照番号８００は本発明による情報保存媒体であって、ＡＶデータが記録されており、ＡＶデータをインタラクティブモードに再生するためのマークアップ文書が記録されており、モード表示情報および／または再生状態表示情報が記録されている。参照番号２７０は、ディスク８００に記録されたＡＶデータを再生するための再生装置を示す。参照番号１７０は、再生装置２７０により再生されたＡＶデータをディスプレイするためのディスプレイ装置である。
【００５６】
再生装置２７０は、ＡＶデータが記録されたディスク８００からモード表示情報および／または再生状態表示情報を読み込んでディスプレイ装置１７０の前面に設けられたパネルに表示する。これにより、パネルにはモード表示情報および／または再生状態表示情報が表示される。図１７には一例として、インタラクティブモードであることを表示するＬＥＤ  ｋを点灯させることによって、現在ディスプレイ装置１７０のスクリーンに表示される画面はインタラクティブモードでの画面であることを表示する。再生状態表示情報も同じ方式で表示可能である。
【００５７】
一方、前述した実施例でモード表示情報と再生状態表示情報とはいずれもグラフィックデータにより具現されたが、テキストデータ、動くグラフィックデータなどにより具現できることはもちろんである。
【産業上の利用可能性】
【００５８】
前述したように、本発明によれば、インタラクティブモードでもフルスクリーンモードを通じてＡＶ画面を拡大して大きく見られ、インタラクティブモードでのフルスクリーンモードであることを把握可能にモード表示情報を共にディスプレイすることによってユーザーに現在ディスプレイモードに関する情報を提供できる。さらに、フルスクリーンモードで再生状態表示情報をＡＶ画面に重畳させてディスプレイすることによって、ユーザーがＡＶデータに関する現在の再生状態を把握可能にする。これにより、現在ディスプレイモードおよび再生状態を正しく把握可能にするユーザーに優しいインターフェースが提供される。
【図面の簡単な説明】
【００５９】
【図１】本発明の望ましい実施例による再生システムの概要図である。
【図２】本発明の望ましい実施例による再生装置２００の機能ブロック図である。
【図３】本発明の望ましい実施例によるリモコン４００の一例である。
【図４】インタラクティブモードを支援するＤＶＤ  ５００のディレクトリ構造の一例である。
【図５】インタラクティブモードを支援するＤＶＤ  ５００のディレクトリ構造の他の例である。
【図６】再生装置２００に連結されるＴＶ  １００の画面整列順序（Ｚ−ｏｒｄｅｒ）を説明するための参考図である。
【図７】ビデオモードを説明するための参考図である。
【図８】インタラクティブモードを説明するための参考図である。
【図９】本発明の望ましい実施例によってモード表示情報がディスプレイされた画面の構成を説明するための参考図である。
【図１０】本発明の望ましい実施例によってモード表示情報および再生状態表示情報がディスプレイされた画面の構成を説明するための参考図である。
【図１１】インタラクティブモードからその下位モードであるフルスクリーンモードに転換された時、本発明の望ましい実施例によってモード表示情報がディスプレイされる画面を説明するための参考図である。
【図１２】インタラクティブモードからその下位モードであるフルスクリーンモードに転換された時、本発明の望ましい実施例によってモード表示情報および再生状態表示情報がディスプレイされる過程を説明するための参考図である。
【図１３】本発明によるディスプレイ方法を説明するためのフローチャートである。
【図１４】本発明の望ましい実施例によるディスプレイ方法を説明するためのフローフローチャートである。
【図１５】本発明の他の望ましい実施例により表示されたモード表示情報及び再生状態表示情報を示す図である。
【図１６】本発明の更に他の望ましい実施例により表示されたモード表示情報及び再生状態表示情報を示す図である。
【図１７】本発明の更に他の望ましい実施例により表示されたモード表示情報及び再生状態表示情報を示す図である。
【図１】
2005517263.tif 000004
【図２】
2005517263.tif 000005
【図３】
2005517263.tif 000006
【図４】
2005517263.tif 000007
【図５】
2005517263.tif 000008
【図６】
2005517263.tif 000009
【図７】
2005517263.tif 000010
【図８】
2005517263.tif 000011
【図９】
2005517263.tif 000012
【図１０】
2005517263.tif 000013
【図１１】
2005517263.tif 000014
【図１２】
2005517263.tif 000015
【図１３】
2005517263.tif 000016
【図１４】
2005517263.tif 000017
【図１５】
2005517263.tif 000018
【図１６】
2005517263.tif 000019
【図１７】
2005517263.tif 000020
【国際調査報告】
2005517263.tif 000021